(57)【要約】【課題】  簡敏な構造で、且つ丈夫で、夏、冬等季節を問わず、ペットが快適に横たわれるようにした、ペット用マットを提供する。【解決手段】  合成樹脂シートを熱融着で形成した袋状体２内に、袋状体２の底面および上面に平行な中間シート３で第１、第２室ｒ1，ｒ2に仕切ると共に、第１室ｒ1内にスポンジ状素材を用いた芯材４を収容する。  前記第２室ｒ2では、所定箇所、円形状に熱融着加工することで、前記袋状体２内側面と前記中間シート３とを接合する。  前記袋状体２の一つの隅部近傍には、前記第２室ｒ2内に気体または液体を充填するための充填口５を設けて、充填口５を栓部材６により開放閉止可能とし、前記充填口５および栓部材６を、隅部外からキャップ状のカバー７で被せるように覆う。【選択図】              図２
2007209274.tif 000002
【特許請求の範囲】
【請求項１】
合成樹脂シートで構成した袋状体内を、袋状体における底面および上面に平行な中間シートで第１、第２の室に仕切ると共に、第１室内にスポンジ状素材を用いた芯材を収容する一方、第２室内において、所定箇所、前記袋状体内側面と前記中間シートとを接合すると共に、前記第２室内に気体を充填するための充填口を設けて、気密状に前記充填口を閉止する栓部材を設ける構成としたことを特徴とするペット用マット。
【請求項２】
合成樹脂シートで構成した袋状体内を、袋状体における底面および上面に平行な中間シートで第１、第２の室に仕切ると共に、第１室内にスポンジ状素材を用いた芯材を収容する一方、第２室内において、所定箇所、前記袋状体内側面と前記中間シートとを接合すると共に、前記第２室内に液体を注入するための充填口を設けて、液密状に前記充填口を閉止する栓部材を設ける構成としたことを特徴とするペット用マット。
【請求項３】
合成樹脂シートで構成した袋状体内を、袋状体における底面および上面に、芯材を収容する第１の室と液体を満たす第２の室を形成し、これら第１、第２室間に、冷却手段や加熱手段を収容する第３の室を設けて、前記第１室内にスポンジ状素材を用いた芯材を収容する一方、第２室内に液体を注入するための充填口を設けて、液密状に前記充填口を閉止する栓部材を設ける構成としたことを特徴とするペット用マット。
【請求項４】
前記充填口を、前記袋状体の一つの隅部近傍に設け、前記充填口近傍に、キャップ状のカバーの基端開口側の一辺を取り付けて、前記カバーにより前記隅部ごと前記充填口に被せて覆う構成としたことを特徴とする請求項１ないし３記載のうち、いずれか１記載のペット用マット。
【発明の詳細な説明】
【技術分野】
【０００１】
本発明は、簡敏な構造で、且つ丈夫で、夏、冬等季節を問わず、ペットが快適に横たわれるようにした、ペット用マットに関するものである。
【背景技術】
【０００２】
屋内でペットを飼う人は、ペットに快適さを与えるために、ペット用マットが提案されている。
【０００３】
そこで、例えば、
【特許文献１】特開２００５−８０６３０号公報  このマットでは、弾性材料によって形成された枠体と、この枠体内に設けられたシート状のヒータと、このヒータ上に設けられ内部に液体が収容されたウオータバックと、上記枠体を被覆した袋状体とを具備した構成により、夏は涼しく、冬は温かくすることで、ペットが快適に過ごせるようにしたというものである。
【発明の開示】
【発明が解決しようとする課題】
【０００４】
しかしながら、上述のマットでは、通常のクッション材を使わず、ウォータバッグによるクッション性を得ているものであり、また、前記ウォータバッグの下面に電熱ヒータを配していることから、防水対策も施す必要がある。また、ウォータバッグのみのクッション性を利用するものであるから、ウォータバッグへは常時、水を入れておく必要がある。さらには、枠体内に電熱ヒータをいれ、防水シート、ウォータバッグを入れて下カバー上カバーで組み立てるという構成であるので、部品点数が多く、それだけ構造が複雑化し、メインテナンスが必要となり、製造コストもアップする。
本発明はこのような課題を改善するために提案されたものであって、簡敏な構造で、且つ丈夫で、使い方も多彩であり、しかも夏、冬等季節を問わず、ペットが進んで横たわれるようにした、ペット用マットを提供することを目的とする。
【課題を解決するための手段】
【０００５】
前記した課題を解決するために、本発明では、請求項１において、合成樹脂シートで構成した袋状体内を、袋状体における底面および上面に平行な中間シートで第１、第２の室に仕切ると共に、第１室内にスポンジ状素材を用いた芯材を収容する一方、第２室内において、所定箇所、前記袋状体内側面と前記中間シートとを接合すると共に、前記第２室内に気体を充填するための充填口を設けて、気密状に前記充填口を閉止する栓部材を設ける構成としたペット用マットを提案する。
また本発明では、請求項２において、合成樹脂シートで構成した袋状体内を、袋状体における底面および上面に平行な中間シートで第１、第２の室に仕切ると共に、第１室内にスポンジ状素材を用いた芯材を収容する一方、第２室内において、所定箇所、前記袋状体内側面と前記中間シートとを接合すると共に、前記第２室内に液体を注入するための充填口を設けて、液密状に前記充填口を閉止する栓部材を設ける構成としたペット用マットを提案する。
また本発明では、請求項３において、合成樹脂シートで構成した袋状体内を、袋状体における底面および上面に、芯材を収容する第１の室と液体を満たす第２の室を形成し、これら第１、第２室間に、冷却手段や加熱手段を収容する第３の室を設けて、前記第１室内にスポンジ状素材を用いた芯材を収容する一方、第２室内に液体を注入するための充填口を設けて、液密状に前記充填口を閉止する栓部材を設ける構成としたペット用マットを提案する。
さらに本発明では、請求項４において、前記充填口を、前記袋状体の一つの隅部近傍に設け、前記充填口近傍に、キャップ状のカバーの基端開口側の一辺を取り付けて、前記カバーにより前記隅部ごと前記充填口に被せて覆う構成としたペット用マットを提案する。
【発明の効果】
【０００６】
本発明によれば、極力簡敏な構造で、且つ丈夫で、季節によって使い分けすることができるペット用マットを提供するものである。
【０００７】
請求項１によれば、芯材にスポンジ状素材を用いたことにより、そのまま通常のクッションとして使用したり、袋状体内の第２室に気体を充填して使用することができる。
【０００８】
請求項２によれば、芯材にスポンジ状素材を用いたことにより、使用状況に応じて、そのまま通常のクッションとして使用したり、袋状体内の第２室に液体を注入して使用することができる。
袋状体内の第２室に液体を注入して使用する際、袋状体を傾けると、液体が低い方に移動するが、液体を注入した第２室が、所々、前記袋状体内側面と前記中間シートとを接合しているので、袋状体が極端に膨れ上がって型くずれすることはなく、液体は、第２室内で略均一に保持される。
【０００９】
請求項３によれば、使用状況に応じて、第１室内に収容したスポンジ状素材のみを用いて、通常のクッションとして用いたり、第２室内に気体を充填したり、液体を入れて使うことができる。また、液体を入れて使うとき、夏には、中間の第３室内に冷却手段を入れて第２室内の液体を冷やして使うことができる。一方、冬には、前記第３室内に加熱手段を収容して使うことができる。
【００１０】
請求項４によれば、充填口をキャップ状カバーにより隅部ごと被せて前記充填口を覆うので、ペットが使用中にカバーが外れて充填口が露出することはなく、充填口に体毛を挟んだりするおそれはない。
また、前記カバーにより充填口を外れることなく覆った状態であるので、充填口および栓部材の存在がペットに気付かれることはなく、ペットが栓部材を咬んだりして損傷し、栓部材から漏れるといった事態を避けることができる。
【発明を実施するための最良の形態】
【００１１】
以下、本発明にかかるペット用マットにつき、一つの実施の態様を挙げ、添付の図面に基づいて説明する。
【実施例１】
【００１２】
図１、図２に、本発明にかかるペット用マット１を示す。
このペット用マット１は、例えば周知の合成樹脂シートを熱融着で形成した、方形状袋状体２を有する。この袋状体２内は、袋状体２における底面および上面に平行な中間シート３で第１、第２の室ｒ1，ｒ2に仕切ると共に、第１室ｒ1内に弾性を有するスポンジ状素材を用いた芯材４を収容している。
一方、前記第２室ｒ2は、後述するが、所定箇所、前記袋状体２の外面から円形状に熱融着加工することで、前記袋状体２内側面と前記中間シート３とを接合している。
また、前記袋状体２の一つの隅部近傍には、前記袋状体２の前記第２室ｒ2内に、空気等の気体を充填したり、水等の液体を注入するための充填口５を設けている。
この充填口５の縁部近傍には、充填口５を開放閉止可能に栓部材６を設けている。
そして、前記充填口５を設けた隅部近傍には、前記充填口５および栓部材６を隅部外から被せるように覆う、キャップ状のカバー７を設けている。
【００１３】
前記袋状体２は、例えばＰＶＣ（ポリ塩化ビニル）製の二つの方形状シートの周縁部を、前記中間シート３を介在して、熱融着により貼り合わせて構成している。なお、前記中間シート３は、袋状体２内の第１、第２室ｒ1，ｒ2を、気密状、液密状に仕切るもので、周知の合成樹脂シートで構成している。
そして、前記袋状体２の上面の方形状シートの表面には、方形状シート内側面と前記中間シート３とを接合するために熱融着処理することで形成したシール部Ｓを有している。
【００１４】
前記充填口５は、前記袋状体２の一つの隅部近傍に所定の径の円形口を開口して、所定の樹脂製円環縁部材８を熱融着している（図３参照）。
そしてこの円環縁部材８には、充填口５を閉止する栓部材６を、一対の弾性変形可能な帯部材６ａ，６ａを介して取り付けている。
さらには、前記円環縁部材８の底面、すなわち、前記方形状シート内側には、前記充填口５を開閉可能に逆止弁部材９を設けている（図４参照）。
【００１５】
そして前記充填口５を設けた隅部近傍を覆うカバー７は、前記袋状体２と同素材で構成した三角屋根状のキャップである。
前記カバー７は、前記充填口５近傍の、前記袋状体２の隅部に至る二辺を結ぶ線上において、基端開口側の一辺を熱融着により取り付けている（図３参照）。
【００１６】
ここで、前記芯材４として用いられるスポンジ状素材について説明する。スポンジ状素材としては、ポリウレタンフォームを用いることができる。勿論、その他、ポリエチレンフォーム等、周知の素材が可能である。なお、スポンジ素材の構造として、独立気泡を有するものや、連続気泡を有するものがあるが、独立気泡のものは、反発力があり、厚さを薄くしても底突きしにくく、クッション材として適している。一方、連続気泡のものは、吸水性、保水性に富むが、比較的、へたりやすいといわれている。その他、発泡倍率によって、比重の大小があり、それによって機械的特性が異なるので、素材の選定に注意を要する。
【００１７】
以上のように構成されたペット用マット１において、使用に当たり、状況に応じて（ペットの体格、季節等を考慮して）そのままで使用するか、空気を袋状体２内に入れるか、さらには、袋状体２内に液体として水を注入することを選択することができる。
すなわち、前記袋状体２内の芯材４は、ポリウレタンフォーム等のスポンジ状素材を用いたため、適度な反発力を有しており、ペットが乗っても、底突きすることなく支えることができる。なおそのような場合でも、空気を袋状体２内に入れて使用すれば、空気とスポンジ状素材との相乗作用により、一層、適度なクッション性がもたらされ、ペットに快適さを与えることができる。
【００１８】
空気を袋状体２内に入れるときは、充填口５を閉止する栓部材６をカバーするカバー７を開いて、前記栓部材６を露出させ、栓部材６を円環縁部材８内から抜くことで、前記充填口５を開け、ポンプや、人の口から空気を入れる。
その際、前記充填口５における逆止弁部材９が内圧によって円環縁部材８の底面を閉止するので、空気は抜けず、クッション性を保持することができる（図２参照）。
【００１９】
次に、前記芯材４を収容した袋状体２内に、液体として水を注入して使用する場合について、詳細に説明する。
先ず、充填口５を閉止する栓部材６をカバーするカバー７を開いて、前記栓部材６を露出させ、栓部材６を円環縁部材８内から抜くことで、前記充填口５を開口することができる。
そして、ホースなどを円環縁部材８内に当てて、前記袋状体２の第２室ｒ2内に水を注入することができる。第２室ｒ2内に水を注入すると、その水は第２室ｒ2全体に行き渡り、前記第２室ｒ2内を水で満たすことができる（図４参照）。
【００２０】
このような状態において、袋状体２を傾けると、充填した水が低い方へ移動するが、前記第２室ｒ2は、方形状シート２ｂ内面と中間シート３とが、所々接合されているため、袋状体２は極端な型くずれを起こすことなく、水は、第２室ｒ2内で略均一に保持される。
【００２１】
使用時に、袋状体２にペットが乗って急にその内圧が高まっても、前記逆止弁部材９が円環縁部材８の底面を閉止するので、栓部材６から漏れるのを防止する。
なお、水は、非圧縮性であり、水自体はクッション性はないが、袋状体２が変形することや、第１室ｒ1内の芯材４の有する適度な反発力により、ペットの重みが吸収され、ペットが乗っても、程よいクッション性がもたらされ、底突きすることなく支えることができる（図５参照）。
【００２２】
また使用時には、充填口５をカバー７により隅部ごと被せて前記充填口５を覆うので、ペットが使用中にカバー７が外れて充填口５が露出することはなく、充填口５に体毛を挟んだりするおそれはない。
さらに、前記カバー７により充填口５を外れることなく覆った状態であるので、充填口５の栓部材６の存在がペットに気付かれることはなく、ペットが栓部材６を咬んだりして損傷し、栓部材６から漏れるといった事態を避けることができる。
【００２３】
なお、前記袋状体２内に水を注入する際、夏等、気温が高いときは、特にペットが犬の場合には、暑さに弱いところから、冷やした水を注入することで、犬は進んでマット１上に乗るようになる。
一方、冬等、気温が低いときは、暖めた水を注入して使用することができるなど、使用状況に対応した使い方ができる。
【実施例２】
【００２４】
本発明にかかるペット用マット１は、以下のように構成することもできる。なお、このペット用マット１では、図１、図２に示すペット用マット１と同様の構成要素には、同符号を付して、その説明は省略する。
すなわちこの場合のペット用マット１では、図６、図７に示すように袋状体２内の、芯材４を収容する第１室ｒ1と、空気を充填したり、あるいは水を入れるようにした第２室ｒ2間に、冷却手段１０や加熱手段１１を収容する第３室ｒ3を設けている。なお、この第３室ｒ3を仕切る素材としては、耐熱性且つ伝熱性を考慮したものが用いられている。
前記冷却手段１０としては、例えば市販の板状の保冷剤、蓄冷材等が使用可能である。
一方、前記加熱手段１１としては、電気ヒータを使用することができる。電気ヒータとしては、面状のヒータが好適である。
【００２５】
このようなペット用マット１によっても、使用状況に応じて、第１室ｒ1内に収容したスポンジ状素材のみを用いて、通常のクッションとして用いたり、第２室ｒ2内に空気を充填したり、水を入れて使うことができる。
特に、水を入れて使うとき、夏には、中間の第３室ｒ3内に冷却手段１０を入れて第２室ｒ2内の水を冷やして使うことができる。
一方、冬には、前記第３室ｒ3内に加熱手段１１を収容して、加熱手段１１を動作させて、第２室ｒ2内の水を加熱して使うことができる。
【実施例３】
【００２６】
本発明にかかるペット用マット１は、以下のように構成することもできる。
すなわち、図８、図９、図１０に示すように、ペット用マット１は、局所的に支えるペット用まくらとしても可能である。なお、構成は、図６、図７に示すペット用マット１と、実質的に同構成であるので、その他の説明は省略する。
【００２７】
以上のようなペット用マット１によれば、ペットＰは、頭をマット１に乗せた状態で寝そべることができる。
この際も、第１室ｒ1内に収容したスポンジ状素材のみを用いて、通常のクッションとして用いたり、第２室ｒ2内に空気を充填したり、水を入れて使うことができる。
特に、水を入れて使うとき、夏には、中間の第３室ｒ3内に冷却手段１０を入れて第２室ｒ2内の水を冷やして使うことができる。
一方、冬には、前記第３室ｒ3内に加熱手段１１を収容して、加熱手段１１を動作させて、第２室ｒ2内の水を加熱して使うことができる。
【００２８】
以上、本発明に係るペット用マット１について、種々実施の態様を示し、説明したが、本発明は、上記実施の態様に限らず、他の構成も考えられる。
例えば、芯材４の素材には、他の反発性、吸水性を兼ね備えた、多孔性素材も可能である。
【図面の簡単な説明】
【００２９】
【図１】本発明にかかるペット用マットの一例を示す、外観斜視図である。
【図２】図１に示すＡ−Ａ線に沿って切断した、断面説明図である。
【図３】図１に示すペット用マットにおける充填口を拡大して示した、拡大斜視説明図である。
【図４】図１に示すペット用マットに水を充填した状態を示す、拡大断面説明図である。
【図５】本発明にかかるペット用マットの使用状態を示した、説明図である。
【図６】本発明にかかるペット用マットの別例を示す、断面説明図である。
【図７】図６に示すペット用マットの、拡大断面説明図である。
【図８】本発明にかかるペット用マットの別例を示す、外観斜視図である。
【図９】図８に示すＢ−Ｂ線に沿って切断した、断面説明図である。
【図１０】本発明にかかるペット用マットの使用状態を示した、説明図である。
【符号の説明】
【００３０】
１                    マット
２                    袋状体
３                    中間シート
４                    芯材
５                    充填口
６                    栓部材
６ａ                  帯部材
７                    カバー
８                    円環縁部材
９                    逆止弁部材
１０                  冷却手段
１１                  加熱手段
Ｓ                    シール部
ｒ1                   第１室
ｒ2                   第２室
ｒ3                   第３室
【図１】
2007209274.tif 000003
【図２】
2007209274.tif 000004
【図３】
2007209274.tif 000005
【図４】
2007209274.tif 000006
【図５】
2007209274.tif 000007
【図６】
2007209274.tif 000008
【図７】
2007209274.tif 000009
【図８】
2007209274.tif 000010
【図９】
2007209274.tif 000011
【図１０】
2007209274.tif 000012